(57)【要約】【課題】本発明は、複数の信号を伝送することができるコネクタアセンブリを提供することを目的とする。【解決手段】本発明のコネクタアセンブリは、コネクタプラグ及びコネクタソケットを備える。前記コネクタプラグは、柱体を備え、柱体の下端の周縁から下方に向けて延伸する少なくとも二つの信号伝送部が形成され、各信号伝送部には、それぞれ一種類のプラグ信号伝送線が設けられ、コネクタソケットは、互いに接続された第一部分及び第二部分上部を備え、第一部分は、柱体を収容し、第二部分は、少なくとも二つの収容溝を備え、各収容溝には、プラグ信号伝送線に対応するソケット信号伝送線が設けられ、コネクタプラグをコネクタソケットに挿し込んで、ソケット信号伝送線とプラグ信号伝送線とを接触させることで、信号を伝送させる。【選択図】図１
2013222710.tif 000002
【特許請求の範囲】
【請求項１】
コネクタプラグ及びコネクタソケットを備え、前記コネクタプラグは、柱体を備えるコネクタアセンブリにおいて、
前記柱体の下端の周縁には、下方に向けて延伸する少なくとも二つの信号伝送部が形成され、各信号伝送部には、それぞれ一種類のプラグ信号伝送線が設けられ、
前記コネクタソケットは、互いに接続された第一部分及び第二部分を備え、前記第一部分は、前記柱体を収容し、前記第二部分は、少なくとも二つの収容溝を備え、各収容溝には、前記プラグ信号伝送線と対応するソケット信号伝送線が設けられ、前記コネクタプラグを前記コネクタソケットに挿し込んで、前記ソケット信号伝送線と前記プラグ信号伝送線とを接触させることで、信号を伝送させることを特徴とするコネクタアセンブリ。
【請求項２】
前記少なくとも二つの信号伝送部は、第一信号伝送部及び第二信号伝送部を備え、前記プラグ信号伝送線は、前記第一信号伝送部に設置された第一プラグ信号伝送線及び前記第二信号伝送部に設置された第二プラグ信号伝送線を備えることを特徴とする請求項１に記載のコネクタアセンブリ。
【請求項３】
前記少なくとも二つの収容溝は、第一収容溝及び第二収容溝を備え、前記ソケット信号伝送線は、前記第一収容溝に設置された複数の第一ソケット信号伝送線及び前記第二収容溝に設置された複数の第二ソケット信号伝送線を備え、前記第一ソケット信号伝送線と前記第一プラグ信号伝送線とを接続させて、第一信号を伝送し、前記第二ソケット信号伝送線と前記第二プラグ信号伝送線とを接続させて、第二信号を伝送することを特徴とする請求項２に記載のコネクタアセンブリ。
【請求項４】
前記第一信号伝送部の長さは、前記第二信号伝送部の長さより長く、前記第一収容溝の深さは、前記第二収容溝の深さより深いことを特徴とする請求項３に記載のコネクタアセンブリ。
【請求項５】
前記第一信号伝送部と前記第二信号伝送部との間は、ギャップによって間隔があけられていることを特徴とする請求項２に記載の電子装置。
【請求項６】
前記プラグ信号伝送線は、前記柱体の下端から下方に向けて真っ直ぐに延伸することを特徴とする請求項１に記載の電子装置。
【発明の詳細な説明】
【技術分野】
【０００１】
本発明は、コネクタアセンブリに関し、特に同時に複数の信号を伝送することができるコネクタアセンブリに関するものである。
【背景技術】
【０００２】
現在、パソコンの拡張に関する更なる発展に伴い、一般的には、各種のコネクタによって、各種の信号を伝送する。例えば、映像信号を伝送するＡＧＰコネクタ、音声信号を伝送するオーディオコネクタ、ＵＳＢ信号を伝送するＵＳＢコネクタ等がある。また、これらのコネクタと対応する外部の機器にも対応するコネクタが各種設置されており、外部の機器とパソコンとを接続する際には、この外部の機器の各種コネクタに対して、異なる信号線を介してそれぞれ接続する。つまり、外部の機器とパソコンとの間で、異なる信号を伝送する際、外部の機器とパソコンに、複数の異なるコネクタを各種設置しなければならない。従って、コストが高くなり、且つ必要な空間も大きい。
【発明の概要】
【発明が解決しようとする課題】
【０００３】
以上の問題点に鑑みて、本発明は、複数の信号を伝送することができるコネクタアセンブリを提供することを目的とする。
【課題を解決するための手段】
【０００４】
上記の課題を解決するために、本発明のコネクタアセンブリは、コネクタプラグ及びコネクタソケットを備える。前記コネクタプラグは、柱体を備え、前記柱体の下端の周縁からは、下方に向けて延伸する少なくとも二つの信号伝送部が形成され、各信号伝送部には、それぞれ一種類のプラグ信号伝送線が設けられ、前記コネクタソケットは、互いに接続された第一部分と、第二部分上部と、を備え、前記第一部分は、前記柱体を収容させ、前記第二部分は、少なくとも二つの収容溝を、備え、各収容溝には、前記プラグ信号伝送線に対応するソケット信号伝送線が設けられ、前記コネクタプラグを前記コネクタソケットに挿し込んで、前記ソケット信号伝送線と前記プラグ信号伝送線とを接触させることによって、信号を伝送させる。
【発明の効果】
【０００５】
本発明のコネクタアセンブリは、コネクタプラグをコネクタソケットに挿し込むことで、同時に二つの信号を伝送することができる。
【図面の簡単な説明】
【０００６】
【図１】本発明に係るコネクタアセンブリのコネクタプラグを示す図である。
【図２】図１に示すコネクタアセンブリの断面図である。
【発明を実施するための形態】
【０００７】
以下、図面に基づいて、複数の信号を伝送することができるコネクタアセンブリについて詳細に説明する。
【０００８】
図１に示したように、本発明に係るコネクタプラグは、柱体２１を備える。この柱体２１の下端の周縁からは、下方に向けて延伸する複数の信号伝送部が形成されている。本実施形態において、前記複数の信号伝送部は、第一信号伝送部２２及び第二信号伝送部２３を備え、第一信号伝送部２２の長さは、第二信号伝送部２３の長さより長い。また、第一信号伝送部２２と第二信号伝送部２３との間は、ギャップ２５によって間隔があけられている。
【０００９】
第一信号伝送部２２には、複数の第一プラグ信号伝送線２２１が、互いに平行するように設置され、この第一プラグ信号伝送線２２１は、柱体２１の下端から下方に向けて真っ直ぐに延伸している。また、第一プラグ信号伝送線２２１は、第一信号（例えば、ＵＳＢ信号等）を伝送する。
【００１０】
第二信号伝送部２３には、複数の第二プラグ信号伝送線２３１が、互いに平行するように設置され、この第二プラグ信号伝送線２３１は、柱体２１の下端から下方に向けて真っ直ぐに延伸している。また、第二プラグ信号伝送線２３１は、第二信号（例えば、ＡＧＰ信号等）を伝送する。
【００１１】
図２に示したように、コネクタソケット３０は、コネクタプラグ２０と組み合わせて使用される。コネクタソケット３０は、上部（第一部分）３１及び下部（第二部分）３２を備え、上部３１は、円柱形状の孔であり、柱体２１を収容する。下部３２は、第一収容溝３３及び第二収容溝３５を備える。第一収容溝３３と第二収容溝３５は、それぞれ上部３１と連通する。第一収容溝３３の深さは、第二収容溝３５の深さより深い。
【００１２】
第一収容溝３３は、第一信号伝送部２２を収容する。また、第一収容溝３３の内壁には、第一プラグ信号伝送線２２１と対応する複数の第一ソケット信号伝送線３３１が設けられ、この第一ソケット信号伝送線３３１と第一プラグ信号伝送線２２１とを互いに接触させることで、第一信号を伝送することができる。
【００１３】
第二収容溝３５は、第二信号伝送部２３を収容する。また、第二収容溝３５の内壁には、第二プラグ信号伝送線２３１と対応する複数の第二ソケット信号伝送線３５１が設けられ、この第二ソケット信号伝送線３５１と第二プラグ信号伝送線２３１とを互いに接触させることで、第二信号を伝送することができる。
【００１４】
コネクタソケット３０をコネクタプラグ２０と組み合わせて使用する際、まず、コネクタプラグ２０をコネクタソケット３０に挿し込み、第一信号伝送部２２を第一収容溝３３に収容し、第二信号伝送部２３を第二収容溝３５に収容して、第一ソケット信号伝送線３３１と第一プラグ信号伝送線２２１とを接続させ、第二ソケット信号伝送線３５１と第二プラグ信号伝送線２３１とを接続させる。これにより、同時に二つの信号を伝送することができる。
【００１５】
上記のことからわかるように、本発明に係るコネクタアセンブリは、コネクタプラグの伝送部と、コネクタソケット３０の収容溝との数を増やすことで、同時に二つ以上の信号を伝送することができる。
【符号の説明】
【００１６】
２０  コネクタプラグ
２１  柱体
２２  第一信号伝送部
２２１  第一プラグ信号伝送線
２３  第二信号伝送部
２３１  第二プラグ信号伝送線
２５  ギャップ
３０  コネクタソケット
３１  上部
３２  下部
３３  第一収容溝
３３１  第一ソケット信号伝送線
３５  第二収容溝
３５１  第二ソケット信号伝送線
【図１】
2013222710.tif 000003
【図２】
2013222710.tif 000004